(57)【特許請求の範囲】
【請求項１】
上部が把持部をなし下面側に凹部を有するハンドル部と、該ハンドル部の下面側に取付けられる中蓋部と、該中蓋部の下面側にこれと一体に成形される弾性体からなるマッサージ部とを有するマッサージ具であって、
前記ハンドル部の凹部内周に形成されたつば部と、前記中蓋部の外周全体に突出形成され前記つば部を係止する係止部と、を備え、
前記つば部を前記係止部とマッサージ部の弾性体外周上縁部とで挟持すると共に、
前記ハンドル部の凹部内周で、前記つば部の下方に形成された弾性体用凹部を備え、該弾性体用凹部にマッサージ部の弾性体外周部を入り込ませることにより、前記ハンドル部とマッサージ部との間をシールしたことを特徴とするマッサージ具。
【請求項２】
前記つば部は、前記マッサージ部の弾性体側に凹凸形状を有し、前記つば部が挟持されたときに、前記凹凸形状をマッサージ部の弾性体外周上縁部に食い込ませることにより、前記ハンドル部とマッサージ部との間をシールしたことを特徴とする請求項１記載のマッサージ具。
【発明の詳細な説明】
【０００１】
【発明の属する技術分野】
本発明は、把持するためのハンドル部とマッサージを行うマッサージ部との間を確実にシールして、マッサージ時に水や各種剤が侵入しないマッサージ具に関する。
【０００２】
【従来の技術】
従来のマッサージ具は、マッサージする者が把持するためのハンドル部と、このハンドル部に取付けられたマッサージ部とから構成され、両者は、取り外しが自在であった。そのため、ハンドル部とマッサージ部との間に、水や各種剤が侵入しやすかった。
【０００３】
また、上記マッサージ具を洗浄する際には、外側を水洗い等で洗浄するとともに、ハンドル部とマッサージ部とを取り外し、内側も洗浄していた。
【０００４】
【発明が解決しようとする課題】
しかし、このような従来のマッサージ具を洗浄する際には、ハンドル部とマッサージ部とを取り外して外側と内側の両方を洗浄する必要があったため、マッサージ具の洗浄時間が長くなって手間がかかるという問題があった。
また、ハンドル部とマッサージ部とを取り外して洗浄することを前提としているため、マッサージの際の水や剤が前記ハンドル部とマッサージ部の間に侵入しやすい構造となっていた。
【０００５】
このため、マッサージ具内部にカビや雑菌等が発生し易いという衛生上の問題もあった。
そこで、本発明は、このような問題点に対処し、マッサージ具の洗浄作業を簡単にし、把持するためのハンドル部とマッサージを行うマッサージ部との間を確実にシールして、マッサージ時に使用される水や剤の侵入を防ぐことができるマッサージ具を提供することを目的とする。
【０００６】
【課題を解決するための手段】
上記目的を達成するために、請求項１に係るマッサージ具においては、上部が把持部をなし下面側に凹部を有するハンドル部と、該ハンドル部の下面側に取付けられる中蓋部と、該中蓋部の下面側にこれと一体に成形される弾性体からなるマッサージ部とを有し、前記ハンドル部の凹部内周に形成されたつば部と、前記中蓋部の外周全体に突出形成され前記つば部を係止する係止部と、を備え、前記つば部を前記係止部とマッサージ部の弾性体外周上縁部とで挟持すると共に、前記ハンドル部の凹部内周で、前記つば部の下方に形成された弾性体用凹部を備え、該弾性体用凹部にマッサージ部の弾性体外周部を入り込ませることにより、前記ハンドル部とマッサージ部との間をシールしたことを特徴とする。
かかる構成によれば、ハンドル部内周のつば部が、中蓋部外周の係止部と弾性体とで挟持され、かつ、ハンドル部内周のつば部の下方にある弾性体用凹部にマッサージ部の弾性体外周部が入り込み、前記ハンドル部とマッサージ部との間を確実にシールする。
【０００７】
また、請求項２に係るマッサージ具によれば、中蓋部外周の係止部と弾性体とで挟持される際、前記つば部の凹凸形状が弾性体に食い込んで、前記ハンドル部とマッサージ部との間を確実にシールする。
【０００８】
【発明の効果】
請求項１に係るマッサージ具によれば、外側のみの洗浄で済むためマッサージ具の洗浄作業を簡単にすることができるとともに、ハンドル部とマッサージ部との間を確実にシールしてマッサージ時に使用される水や剤の侵入を防ぐことができ、内部にカビや雑菌等が発生するのを防止することができる。
【０００９】
請求項２に係るマッサージ具によれば、前記つば部の凹凸形状が弾性体に食い込んで確実にシールされるため、ハンドル部とマッサージ部との横方向のずれを防ぐとともに、請求項１記載の発明の効果を更に向上することができる。
【００１０】
【発明の実施の形態】
以下、本発明の実施の形態を添付図面に基づいて詳細に説明する。
本実施形態に係るマッサージ具は、マッサージ剤を身体の被マッサージ部に塗布後、この被マッサージ部の押圧又は摩擦によってマッサージするものであり、図１に示すように、ハンドル部１と、マッサージ部２と、中蓋部３とを含んで構成される。
【００１１】
ハンドル部１は、上部に把持部をなし、マッサージ部外周端部から上方に立ち上がり部があり、自由端の内側に膨出しているため、マッサージする者が把持し易いように成形されるとともに、下面側に凹部（空間）を有する。また、ハンドル部１は、ポリプロピレン（ＰＰ）等の樹脂で成形されており、製造過程における成形性、取扱い時における軽量化等に優れたものとなっている。
【００１２】
また、ハンドル部１下面凹部内周には、図２に示すように、内部に突出したつば部４が形成されており、この上面にはテーパ形状４ａ、下面には凹凸形状４ｂが全内周に渡って施されている。テーパ形状４ａは、後述する中蓋部３の係止部３ａと係合される部位とされ、凹凸形状４ｂは、後述するマッサージ部２の弾性体に食い込ませるものである。
【００１３】
更に、つば部４下方には周壁が垂下しており、ハンドル部１内周に沿って深さａの弾性体用凹部５が形成されており、後述するマッサージ部２の弾性体の外周部が入り込むことができるようになっている。
マッサージ部２は、ハンドル部１の下方に取付けられた弾性体から成り、その下面（凸曲面）にはマッサージ用凸部２ａが複数形成されている。マッサージ用凸部は、中心部の突出部と円形周縁部の突出壁とで構成され、同心円上に複数形成されている。また、マッサージ部２は、スチレン系エラストマーから成り、他にシリコンゴムやポリオレフィン系の弾性体等を用いうる。
【００１４】
尚、マッサージ部２を成す弾性体（エラストマー）の外径は、ハンドル部１の内径よりも約０．２５mm程度大きく形成されている。
中蓋部３は、前述のハンドル部１とマッサージ部２との間に介在し、マッサージ部２が取付けられる側が曲面に成形されており、マッサージ部２が取付けられた時に、各マッサージ用凸部２a の裏面と嵌合可能な孔が形成されている。弾性力のある中蓋３の中心部から筒状体のリブが設けられてもよい。このリブによって、中蓋３がハンドル部１の内部にへこまないようにストッパーの効果がある。
【００１５】
更に、中蓋部３は、マッサージ部２と一体的に形成されるものである。
また、中蓋部３の外周には、図１（ｂ）に示すように、上縁側に係止部３ａ、下縁側に押圧部３ｂが外側に突出して形成されている。係止部３ａ及び押圧部３ｂは、ハンドル部１とマッサージ部２との間をシールする際に、つば部４を両者間で挟み込み嵌合力を付与し、係止部３ａはテーパ形状４ａに当接し、押圧部３ｂは、図示の如く、弾性体外周の上縁部を介在して、テーパ形状４ａと隣り合う。
【００１６】
尚、係止部３ａと押圧部３ｂとは、両者間につば部４を挟んだ際に、介在する弾性体外周の上縁部がある程度圧縮される寸法だけ離間している
次に、上記構成による作用を図１（ｂ）に基づいて説明する。
ハンドル部１に中蓋部３と一体とされたマッサージ部２を組み付ける際に、ハンドル部１のつば部４を、そのテーパ形状４ａ側を係止部３ａ、凹凸形状４ｂ側を弾性体外周の上縁部を介在して押圧部３ｂで挟持する。
【００１７】
これにより、ハンドル部１は、つば部４が係止部３ａで係止されつつ弾性体外周の上縁部の弾性力が付与されることによってマッサージ部２に固定される。また、ハンドル部１とマッサージ部２との間には、弾性体による弾性力が常に付与された状態となっているため確実なシールが可能であり、マッサージの際の水や剤の侵入を確実に防ぐことができる。
【００１８】
更に、つば部４が挟持される際、下面に形成された凹凸形状４ｂが弾性体外周の上縁部に食い込むため、ハンドル部１とマッサージ部２との横方向のずれを防ぎ、より確実なシールを可能とする。
また、前記ハンドル部１は、つば部４より下方に周壁が垂下しており、内周面には、つば部４を挟持する前記マッサージ部２の外周部が入り込むための弾性体用凹部が設けられている。つば部４が挟持される際、弾性体外周の外周部が弾性体用凹部５に入り込むため、ハンドル部１とマッサージ部２とが屈曲した形状で結合することとなり、水や剤の侵入を有効的に防ぎ、より確実なシールを可能とする。
【００１９】
そして、マッサージ具を洗浄する際には、ハンドル部１とマッサージ部２とが組み付けられた状態で洗浄する。即ち、ハンドル部１とマッサージ部２との間は確実にシールされているため、マッサージ具の内側を洗浄する必要がなく、外側のみの洗浄で充分となっている。更に、マッサージ具内側への水や剤の侵入を確実に防ぐため、内側にカビや雑菌等が発生するのを防止する。
【００２０】
構造上、マッサージ部２を成す弾性体（エラストマー）の外径は、ハンドル部１の内径よりも約０．１〜０．７mm程度大きく形成するのが好ましい。
また、つば部４のテーパ形状４ａを施す位置を変更することによって、ハンドル部１とマッサージ部２との間の挟持力（シール力）を任意に変更できる。即ち、つば部４のテーパ形状４ａを更に上方に形成すると、挟持力は強くなり、逆に下方に形成すると挟持力は弱くなるため、各構成部材に使用される材質等を勘案したシール力を適宜決定できる。
【図面の簡単な説明】
【図１】本発明に係るマッサージ具を示す（ａ）側面外観図（ｂ）Ａ部の詳細図
【図２】本発明に係るマッサージ具のつば部近傍を示す詳細断面図
【符号の説明】
１…ハンドル部
２…マッサージ部（弾性体）
３…中蓋部
３ａ…係止部
４…つば部
５…弾性体用凹部
【図１】
0003917286.tif 000002
【図２】
0003917286.tif 000003